(57)【要約】【課題】現在市販されている床ずれ防止エアーマットレスの中には、温度制御機能の無いものが多く出回っている。その為、使用者は、特に冬場、床ずれ防止の為の低温の空気の流出入により、冷えを訴えエアーマットの使用を嫌う人が多い。【解決手段】温度機能の付加されていないエアーマット、及び新規作成時のエアーマットに、適温に制御したエアーを送り込む手段と、エアーマットの人体接触面でない面にエアーマット保温手段を付加し、その手段の併用、もしくは単独使用の組み合わせにより、床ずれ防止用エアーマットの使用者の快適性を向上させる。【選択図】    図１
2006026247.tif 000002
【特許請求の範囲】
【請求項１】
エアーマットに強制的に空気を加圧供給する加圧手段と、前記空気を加熱する手段と、前記エアーマット本体を保温する手段と、前記加熱空気の温度制御手段と、温度設定手段及び、前記エアーマット本体を保温する手段の温度制御手段とを備え、前記エアーマットを、前記加圧加熱供給空気、とエアーマット本体保温併用もしくは単独の組み合わせで暖めてなる床ずれ防止用エアーマット。
【請求項２】
前記エアーマットに供給される空気の加熱温度は、少なくとも初期供給時は高温加熱空気としたことを特徴とした請求項１記載の床ずれ防止用エアーマット。
【請求項３】
エアーマットの加圧加熱供給空気、とエアーマット本体保温は、初期使用時に併用加熱とし、所定時間後は環境温度によりエアーマット本体保温単独とすることを特徴とした請求項１記載の床ずれ防止用エアーマット。
【請求項４】
エアーマットの加圧加熱供給源とエアーマットの接続を行うホースには、ホースの放熱作用を防止するため、必要に応じてホースの保温機能を付加したことを特徴とした請求項１記載の床ずれ防止用エアーマット。
【発明の詳細な説明】
【技術分野】
【０００１】
本発明は、床ずれ防止用エアーマットの暖機能に関する。
【背景技術】
【０００２】
従来、床ずれ防止用のエアーマットに暖機能を付加する例は、床ずれ防止用エアーマットの上にエアーコントロール方式のシーツ、もしくはベットパッドを設けたもの、また、エアーマットの加圧空気を制御するもの等の構成が記載されている。
【特許文献１】特許公開２００１−２９９８３２号公報
【特許文献２】特開平１０−１７４６３６号公報
【発明の開示】
【発明が解決しようとする課題】
【０００３】
上記従来の、床ずれ防止用エアーマットの上にエアーコントロール方式のシーツ、もしくはベットパッドを設けた方法では、床ずれ防止用のエアーマットの床ずれ防止効果が減じる。また、エアーマットの加圧空気の温度を制御する方法では、暖機能を加熱空気のみに依存していて、床ずれ防止作用のための加圧空気の定期的な加減圧に対して、常に加熱空気を供給しないと、エアーマットは空気冷却される構造となっている。
【０００４】
そこで本発明では、床ずれ防止用エアーマットを、加圧供給空気、とエアーマット本体保温併用もしくは単独の組み合わせで暖房機能とし、使用者に快適なエアーマットの暖房効果を供給し、合わせて、高温使用状態時に発生しうる低温やけど環境を解消させる効果を確保しようとするものである。
【課題を解決するための手段】
【０００５】
上記課題は、特許請求範囲の欄に記載した床ずれ防止用エアーマットにより解決することが出来る。
本発明の請求項１記載の床ずれ防止用エアーマットによれば、エアーマットに強制的に空気を加圧供給する加圧手段と、前記空気を加熱する手段と、前記エアーマット本体を保温する手段と、前記加熱空気の温度制御手段と、温度設定手段及び、前記エアーマット本体を保温する手段の温度制御手段とを備え、前記エアーマットを、前記加圧加熱供給空気、とエアーマット本体保温併用もしくは単独の組み合わせで暖めてなる床ずれ防止用エアーマットの構成としたもの。エアーマット本体を保温の目的で加熱する手段は、例えばエアーマットの外壁にシリコンヒーターを埋め込む方法や、エアーマットと、ベッドの間に熱源を載置させるなどの手段がある。
【０００６】
これにより使用当初は、加圧高温空気を供給とエアーマット本体を保温の目的で加熱し、次に加圧高温空気の温度を、環境温度に応じて多段階に制御し、環境温度が比較的高い場合は空気加熱を中止して加圧空気のみとし、環境温度がもっと高い場合は、エアーマット本体の保温の目的での加熱も中止する構成ができる。
【０００７】
また、請求項２記載の床ずれ防止用エアーマットによれば、エアーマットに供給される空気の加熱温度は、少なくとも初期供給時は高温加熱空気としたので、使用当初は、加圧高温空気を供給とエアーマット本体を加熱し、急速にエアーマットを暖めることが可能である。
【０００８】
さらに、請求項３記載の床ずれ防止用エアーマットによれば、エアーマットの加圧加熱供給空気、とエアーマット本体加熱の暖房使用法は、初期使用時に併用加熱とし、所定時間後は環境温度によりエアーマット本体保温の目的での加熱単独とする。
これによりエアーマット本体保温の目的での加熱により、エアーマット内に流入した加圧気を間接的に暖める作用があるので、所定時間後は大半の使用環境雰囲気温度では、エアーマット本体保温の目的での加熱のみで作動する構成ができる。
【０００９】
またさらに、請求項４記載の床ずれ防止用エアーマットによれば、ホースの放熱作用により、エアーマットに適切に温度制御された温度より低い温度の加圧加熱空気が送られるがホースの保温機能によりこれを適温に保つ動作を確保できる。
【発明の効果】
【００１０】
本発明によれば、使用当初は、加圧高温空気を供給とエアーマット本体を保温の目的で加熱し、次に加圧高温空気の温度を、環境温度に応じて多段階に制御し、環境温度が比較的高い場合は空気加熱を中止して加圧空気のみとし、環境温度がもっと高い場合は、エアーマット本体の保温の目的での加熱も中止する事が可能なので、使用当初は、加圧高温空気を供給とエアーマット本体を保温の目的で加熱し、急速にエアーマットを暖め、使用者の健康管理、例えば急に冷たいところに入った場合の血圧上昇防止、エアーマットが暖まるまでが短時間なので、待ち時間の解消からいらだちの解消、ひいては安心感の向上が図れ、さらには、使用中はエアーマットが暖まっているので、エアーマット本体保温の目的での加熱に切り替わり、過剰加熱とならないので、低温火傷などの発生が解消できることは重症患者等で、意志表現の出来にくい使用者にも安心して使用可能となる効果がある。
【００１１】
また、使用時に空気加熱が無くても、エアーマット本体を保温の目的で加熱する作用でエアーマット温度を所定温度範囲に確保できることは、褥痩の目的のみに空気の加減圧を行うことが出来、本来機能の目的をより効果的に発揮できる。
【００１２】
エアーマット本体を加熱する手段は、例えばエアーマットの外壁にシリコンヒーターを埋め込む方法や、エアーマットと、ベッドの間に熱源（例えば電気毛布）を載置させるなどの方法があり、何れも、放熱効果は少なく、消費電力も少なくて済むので、単独空気加熱方式に比較して経済的にも負担が少ない効果が期待できる。エアーマットの加圧加熱供給源とエアーマットの接続を行うホースには、必要に応じてホースの保温機能を付加したので、適切なエアーマットの温度管理が行える効果がある。
【発明を実施するための最良の形態】
【００１３】
次に、本発明の実施の形態の実施例について説明する。図１は床ずれ防止用エアーマットの概略構成の１実施例であり、以下順を追って説明する。
床ずれ防止用エアーマット（以下エアーマットと称する）１は、エアーマットのエアーマット制御ブロック２の指示により駆動制御手段３からの出力で加圧空気の供給をホース４，５，６にて受け、エアーマット１内の隔離された空気管７，８，９に入れることによりエアーマットとして使用するものである。説明の都合上、空気の経路２〜２７、空気加熱経路２８〜３５、ホース４，５，６の保温経路３６〜３８、エアーマット１の本体保温経路３９〜４２の順に説明を行う。
【００１４】
空気の経路２〜２７は、エアーマット制御ブロック２には、電源コード２７から家庭用電源が供給される。またエアーマット制御ブロック２の指示により（制御手段については後述する）駆動制御手段３の出力でコンプレッサー１０をコンプレッサー用電線１１を介して駆動させ、空気取り入れ口１２から入った空気をコンプレッサー室１３で圧縮し、タンク１４に送圧する。タンク１４には、圧力センサ１５で空気圧を検知し、その信号は圧力信号線１６を介し、エアーマット制御ブロック２に入り、所定圧力信号に達すると制御手段の指示によりコンプレッサー１０を停止させる。所定圧力の空気は熱交換器１７を通り、分岐管１８を通り、供給電磁弁１９，２０，２１に達する。
【００１５】
前述の如く、エアーマット１内には隔離された空気管７，８，９が有り、空気管７の経路は，供給電磁弁１９とホース４と空気管７と排気電磁弁２３から構成される。また空気管８の経路は，供給電磁弁２０とホース５と空気管８と排気電磁弁２４から構成される。同様に空気管９の経路は，供給電磁弁２１とホース６と空気管９と排気電磁弁２５から構成される。
【００１６】
ここで空気管７内に圧力空気を充満させるには、供給電磁弁１９を開かせるため供給電磁弁電線２２にエアーマット制御ブロック２から電源供給し、他方排気電磁弁２３には閉状態とするため電源を供給しない事で成立する。（他の空気経路も同様であり説明省略）
逆に充満した空気管７を減圧させるには排気電磁弁２３を開かせるため供給電磁弁電線２６にエアーマット制御ブロック２から電源供給し、供給電磁弁１９には閉状態とするため電源を供給しない事で成立する。（他の空気経路も同様であり説明省略）
【００１７】
上記の方法にて隔離された空気管７，８，９に順番に加減圧と保持（供給電磁弁１９排気電磁弁２３何れも閉状態）を繰り返さすことで、身体の同一箇所が圧接されることが無く、褥痩が回避されるのがエアーマットの床ずれ防止の一実施例である。
なお、他の一例として、供給電磁弁１９、２０、２１を３方電磁弁として、排気電磁弁２３、２４、２５を廃止し、空気管７、８，９の端末を閉じてしまう方式等のエアーマットも本発明の範囲にある。また前記供給電磁弁、排気電磁弁の両方を廃止し、コンプレッサーのみでの圧力空気を供給させるものも本発明の範囲である。
【００１８】
次に加圧空気の加熱方法の一実施例について説明する。温度制御ブロック２８内には温度制御手段があり（温度制御手段については後述する）エアーマット近傍に設けた室内温度センサ２９の信号を信号線３０を介して検知し、室内温度が所定温度以下の場合、前述した熱交換器１７内に設けた熱交ヒータ３１にヒータ電線３２を介して電源を供給する。熱交換により温度上昇した空気は、熱交換器１７内に設けた熱交温度センサ３３により温度計測されその信号は信号線３４を介して温度制御部ロック２８内の温度制御手段に入力することにより所定温度以上の場合は熱交ヒータ３１の電源供給を停止し、所定温度以下の場合は熱交ヒータ３１の電源供給し、その繰り返しで熱交換器を通過した空気は所定温度制御されることとなる。なお、熱交換器の位置はコンプレッサーの後に設けた例で説明を行ったが、コンプレッサーの前すなわち空気取り入れ口１２の前もしくは後に設けることも一例である。
【００１９】
次にホース４，５，６の保温経路３７〜３８の説明を行う。温度制御ブロック２８内には温度制御手段にエアーマット内に設けたマット温度センサ３５の温度信号が信号線３６を介して入力され、また、一方、熱交換器１７内に設けた熱交温度センサ３３により温度計測されその信号は信号線３４を介して温度制御ブロック２８内の温度制御手段に入力する。
【００２０】
ここでマット温度センサ３５の温度と熱交温度センサ３３の温度差は、ホース４，５，６の放熱ロスであり、特に冬場の寒いときは、無視できないことが実験結果から判明した。    この放熱ロスの対策としては、ホース４，５，６に断熱材を巻き付けてロスを少なくすることは容易に考えられるが、本発明は、熱交換器１７内に設けた熱交熱交ヒータ３１の能力に限界があり、加熱空気が適切な温度に上昇しない場合が発生する、その為、確実にロス分を補給して保温効果を持たせる目的でホース保温経路を設けるものである。また、立ち上がり特性の向上を果たす効果もある。
【００２１】
このホース保温経路は、ホース保温部３７とホース保温制御ブロック３８からなり、温度制御部２８の電源制御により駆動する。このホース保温部３７とホース保温制御ブロック３８は、市販の凍結防止用ヒーターセットなど、小電力でＷ密度の低い発熱体を使用するか、もしくは、保温部に温度センサーを設け（図示せず）ホース保温制御ブロック３８にて温度制御する事も本発明の範囲である。
【００２２】
最後にエアーマット１の本体保温経路３９〜４２の説明を行う。本体保温経路３９〜４２はエアーマット１の下に敷いた状態に位置し、マット温度センサ３５、室内温度センサ２９の温度の状態により温度制御ブロック２８の温度制御手段の判定で、温度制御ブロック２８から本体保温制御ブロック４０に電源の供給の入り切りを電源コード４１を介して行う。また本体保温制御ブロック４０から本体保温部３９には、制御・電源線４２が接続され、図示はしないが、本体保温部３９内に組み込まれたヒータと温度センサにより、本体保温制御ブロック４０内の温度制御手段で加熱制御を行う構成となっている。
【００２３】
ここで本体保温経路は一例として３９〜４２は市販の電気敷き毛布を想定している。また、他の一例としてエアーマット１の本体下部にヒータと温度検知部を一体化する場合は、当然ながら、本体保温制御ブロック４０は温度制御部ロック２８内にその保有する機能を組み込むものとする。
【００２４】
図２は、本発明の床ずれ防止用エアーマットの制御ブロックの説明図である。エアーマット制御ブロック２内には、操作部４３を有し、この操作部４３内に、開始・停止ｓｗ４４と、加減圧サイクル調節４５と、加圧程度調節４６を有している。操作順に説明すると、開始・停止ｓｗ４４をＯＮにし、加減圧サイクル調節４５にて、加減圧サイクルの調節（隔離された空気管７，８，９に順番に加減圧と保持を繰り返さす速度の長短の設定）を行い、加圧程度調節４６（隔離された空気管７，８，９の空気圧の設定で、体重の重い人は軽い人に比較して圧力は強く設定する意味合いの調節）を行い、次段に進む。
【００２５】
次段の入力判定手段４７は、開始・停止判定手段４９、加減圧サイクルレベル判定手段５０、加圧レベル判定手段５１、圧力検知手段５２から成り立ち、開始・停止判定手段４９で、初期開始のための条件設定（後述するタイマー等）を行い、加減圧サイクルレベル判定手段５０で加減圧サイクル調節４５がどの程度に設定しているか判定し、加圧レベル判定手段５１で加圧程度調節４６がどの程度に設定しているか判定し、圧力センサ１１から入力された現在圧力がいくらであるか圧力検知手段５２で判定し次段に進む。
【００２６】
次段の総合判定手段５３は、初期状態制御判定手段５４、時間制御判定手段５５、圧力制御判定手段５６、から構成されている。初期状態制御判定手段５４では、開始時に行う定型処理を行い（例えばエアーマット制御ブロック２の電源ＯＮ指示等）、時間制御判定手段５５では、加減圧サイクル調節４５にて調節された内容を元に供給電磁弁１９，２０，２１と排気電磁弁２３、２４、２５のそれぞれの開時間、閉時間の割り当てを行い、実行する役割を果たし、圧力制御判定手段５６では加圧レベル判定手段５１で設定された圧力管理を行う。
【００２７】
次段の駆動制御手段３は、コンプレッサー出力制御手段５７、各種電磁弁出力制御手段５８、温度制御ブロック出力制御手段５９から構成され、前段で決定された出力の調整を行う。コンプレッサー出力制御手段５７にはコンプレッサー１０が結線され、各種電磁弁出力制御手段５８には供給電磁弁１９、２０、２１及び排気電磁弁２３、２４、２５が結線され、エアーマット制御ブロック２には温度制御ブロック２８が結線されている。
【００２８】
上記の内容は、参考程度に具体性を持たした説明であり、これ以外の方法であっても、床ずれ防止用エアーマット作動時に、加熱空気を送り込める床ずれ防止用エアーマットであれば本発明の範囲とする。
【００２９】
次に温度制御ブロック２８の説明をする。温度制御ブロック２８内には、操作部６０を有し、少なくとも温度調節＆強制ＯＮＯＦＦ指示６１にてエアーマットの暖房の温度指示と、強制的に暖房を中止、又は中止した暖房を開始させる指示作用を有し、その操作方法は、スイッチ付ボリュウム等であってもよい。次段の入力判定手段６２では、前記指示された内容を温度調節レベル判定手段６３で、温度調節範囲の内のどの位置か（設定温度はいくらか）また、停止指示か、開始させるのかを判定する。
【００３０】
また、室内温度センサ２９、熱交温度センサ３３、マット温度センサ３５の温度情報をそれぞれ、温度１検知手段６４、温度２検知手段６５、温度３検知手段６６で検知する。次段の総合判定手段６７は、熱交ヒータ制御判定手段６８、ホースヒータ制御判定手段６９、マットヒータ制御判定手段７０、から構成し、前段の入力内容に基づいてエアーマットの暖房温度を調節設定温度に調節すべく、熱交ヒータ制御判定手段６８は室温に依存してエアーマット温度も必要に応じて加味しながら熱交ヒータを制御する。
【００３１】
ホースヒータ制御判定手段６９は、熱交ヒータ３１に関連してＯＮとなるよう制御を行う。マットヒータ制御判定手段７０は、室温と熱交ヒータ３１に関連してＯＮとなりしかも保温の目的としているので、熱交ヒータ３１が完全ＯＦＦ状態になってもＯＮ状態のままとするよう制御される特徴を有している。
【００３２】
次段の駆動制御手段７１は熱交ヒータ出力制御手段７２、ホースヒータ出力制御手段７３、マットヒータ出力制御手段７４から構成され、総合判定手段６７の指示に基づいて熱交ヒータ３１、ホースヒータ制御ブロック３８、マットヒータ制御ブロック４０への出力を制御している。
【００３３】
上記した手段により、床ずれ防止用エアーマットに加熱空気を送り込む手段と、エアーマット自体を保温させるマットヒータの組み合わせにより、使用者が快適に使用できる利便性を向上させるものである。また、ホースヒータは加熱空気がホース通過時温度低下するのを防いで、目的のエアーマット温度に到達する時間を早くすると同時に、熱交ヒータの能力を低下させないという効果を発揮するものである。
【００３４】
図３〜図７は本発明の床ずれ防止用エアーマットの温調フローを示す。図３はメインルーチンフローである。エアーマット制御ブロック２がＯＮになると、温度制御ブロック２８に通電されこのフローが作動する。ＯＦＦ指示中でない？か判定しＳ１、その場合はＯＦＦ指示有り？か判定しＳ２、ＯＦＦ指示がある場合はｇｏｓｕｂＯＦＦ処理Ｓ３（後述する）に行って後、ＯＮ指示があるか判定Ｓ４に行く。
【００３５】
ＯＦＦ指示がない場合Ｓ２、カウンタＮ＝Ｎ＋１を行うＳ５。次にＮ＞１？で１回目でないか判定しＳ６、１回目でない場合はＭＳＴ＝エアーマット調節温度取り込みＳ７、次にＲＴ＝室内温度取り込みＳ８、ＭＴ＝エアーマット温度取り込みＳ９、を行いｇｏｓｕｂ熱交Ｓ１０に行く。一方Ｎ＞１？Ｓ６で，一回目の場合ＲＴ＝室内温度取り込みＳ１１、ＭＴ＝エアーマット温度取り込みＳ１２、を行いＲＴ＞２５室温が２５℃以上？か判定しＳ１３、室温が２５℃以上の場合はＭＴ＞３０？（エアーマット温度が３０℃以上？）か判定しＳ１４、その場合は加熱レベル３としてＳ１５、マットヒータＯＮとしてＳ１６、ｇｏｓｕｂ熱交Ｓ１０に行く。
【００３６】
また、ＭＴ＞３０？（エアーマット温度が３０℃以上）か判定しＳ１４、そうでない場合は加熱レベル２としてＳ１８、マットヒータＯＮとしＳ１６、ｇｏｓｕｂ熱交Ｓ１０に行く。また、ＲＴ＞２５室温が２５℃以上？か判定しＳ１３、そうでない場合（室温が２５℃以下の場合）Ｓ１３、その場合は加熱レベル１としＳ１７、マットヒータＯＮとしＳ１６、ｇｏｓｕｂ熱交Ｓ１０に行く。
【００３７】
上記３つともｇｏｓｕｂ熱交Ｓ１０に行った後、次にｇｏｓｕｂホース保温Ｓ１９に行って帰り、続いてｇｏｓｕｂ本体保温Ｓ２０に行って帰った後、ＯＦＦ指示中でないか？判定Ｓ１に戻る。またＯＦＦ指示中でないか判定しＳ１、ＯＦＦ指示の場合、ＯＮ指示があるか判定Ｓ４し、ＯＮ指示がある場合はＮ＝１としＳ２１、Ｎ＞１？のＳ６に行く。ＯＮ指示が無い場合は、ＯＦＦ指示中でないか判定Ｓ１、に戻る。以上がメインルーチンである。
【００３８】
メインルーチンでは、停止処理、再使用処理、初期使用時の熱交作動レベルの判定を行い、必要温度を取り込んだ後、各処理工程に順に回っていき、各サブルーチンで必要処理を行っていくのである。以下に上記したサブルーチンの説明を行う。
【００３９】
図４は、ｇｏｓｕｂＯＦＦ処理Ｓ３のサブルーチンの内容である。このルーチンの目的は、エアーマットは使用したいが暖機能のみ停止したい場合の停止信号が入った場合に関するものである。まず熱交フラグをＯＦＦにしＳ２２、続いて熱交ヒータをＯＦＦにしＳ２３、熱交タイマをＯＦＦにしＳ２４、ホースヒータをＯＦＦにしＳ２５、マットヒータをＯＦＦにしＳ２６、カウンタＮ＝０にしＳ２７、元に戻すＳ２８。このサブルーチンは、暖機能作動中に、暖機能を停止させる指示を行った場合のことを示したもので、再使用時に備えて、関係フラグをクリヤーさせて停止させている。
【００４０】
図５は、ｇｏｓｕｂ熱交のサブルーチンの内容である。Ｎ＞１？であるか判定しＳ３１、１回目以外の場合は熱交フラグがＯＮであるか？判定しＳ３２、熱交フラグがＯＮの場合はＮＴ＝熱交温度取り込みＳ３３を行い、熱交タイマが２０分以上経過したか判定しＳ３４、その場合は熱交温度のセットを６５℃（ＮＳＴ＝６５）Ｓ３５とし、次に熱交タイマが４０分以上経過したか判定しＳ３６、（低温火傷防止加熱温度多段階制御を示している。）その場合は熱交温度のセットを５０℃（ＮＳＴ＝５０）Ｓ３７とし、次に熱交タイマが６０分以上経過したか判定しＳ３８、６０分未満の場合は、２０分未満の場合Ｓ３４、４０分未満の場合Ｓ３６も同様にＮＴ＜ＮＳＴ（熱交温度＜熱交セット温度）のＳ３９に行く。そうである場合、ＭＴ＞ＭＳＴ（エアーマット温度＞エアーマットセット温度）であるか判定しＳ４０、そうである場合は、ＲＴ＞２５（室温＞２５℃）か判定しＳ４１その場合は熱交フラグをＯＦＦにし、熱交タイマをＯＦＦにしＳ４３、ＲＥＴ元に戻るＳ４４。（室温が高いので熱交停止を意味する。）
【００４１】
一方ＮＴ＜ＮＳＴ（熱交温度＜熱交セット温度）Ｓ３９で熱交温度の方が高い場合、熱交ヒータをＯＦＦにしＳ４５、ＲＥＴ元に戻るＳ４６。また、ＭＴ＞ＭＳＴ（エアーマット温度＞エアーマットセット温度）でＳ４０、マットセット温度の方が高い場合、熱交ヒータをＯＮにしＳ４７、ＲＥＴ元に戻るＳ４８。ＲＴ＞２５（室温＞２５℃）でＳ４１、室温が低い場合は熱交ヒータをＯＦＦにしＳ４９、ＲＥＴ元に戻るＳ５０。（室温が低いので熱交は生かして熱交ヒータをＯＮＯＦＦ制御する）
【００４２】
Ｎ＞１？であるか判定しＳ３１、１回目の場合は、加熱レベルが１？であるか判定しＳ５１、そうである場合は熱交温度セットを８０℃（ＮＳＴ＝８０）としＳ５２、熱交タイマをＯＮにしＳ５３、熱交フラグをＯＮにしＳ５４、ＮＴ＜ＮＳＴ（熱交温度＜熱交セット温度）のＳ３９に行く。（高温スタートの場合）。
【００４３】
加熱レベルが１？であるか判定しＳ５１、そうでない場合は加熱レベルが２？であるか判定しＳ５５、そうである場合は熱交温度セットを６５℃（ＮＳＴ＝６５）としＳ５６、熱交タイマをＯＮにしＳ５７、熱交タイマ値を＋３０としＳ５８、熱交フラグをＯＮにしＳ５９、ＮＴ＜ＮＳＴ（熱交温度＜熱交セット温度）のＳ３９に行く。（中温スタート）加熱レベルが２？であるか判定しＳ５５、そうでない場合（加熱レベルが３）は、熱交フラグＯＦＦＳ４２に行く。（本体保温のみスタートの場合）。
【００４４】
このルーチンの内容は、熱交ヒータの作動条件を示しており、まず初回の場合は、加熱レベルによって、熱交のセット温度を変化させ、エアーマットを早く、しかも安全に所定温度にたちあげるものである。すなわち、加熱レベル１の場合は室温が低いため、熱交温度も高温、中温、低温と、時間制御を主体として、エアーマット温度を監視しながら、３段階制御でマット温度を上げるのである。
【００４５】
高温のみで立ち上げることは、エアーマットの部分温度上昇となって、全体の温度が均一化しなく、そのことが、低温火傷につながる危険性がある。低温火傷は４０℃程度あれば条件成立するので、重症患者の場合は意志表現もままならず、特別な注意が必要となるのである。同様に加熱レベル２から始まる室温が一寸暖かい状況も、中温スタートとして低温火傷に配慮した加熱レベル１同様の安心性能の向上を図ったものである。
【００４６】
また、一旦エアーマット温度が設定温度になった場合は、熱交ヒータは室温２５℃以上の場合は使用せず、マットヒータのみでエアーマットを保温することで、使用の快適性を向上させている。また、マットヒータはエアーマットの下に、電気敷き毛布を設置しても本発明の範囲である。また、フロー内の説明に使用した数値は、便宜上表現したものである。
【００４７】
図６はｇｏｓｕｂ  ホース保温Ｓ１９のサブルーチンの内容を示す。まず熱交フラグＯＮ？か判定しＳ６０、その場合はホースヒータＯＮにしＳ６１、ＲＥＴ元に戻るＳ６２。そうでない場合は、ホースヒータをＯＦＦにしＳ６３、ＲＥＴ元に戻るＳ６４。
このルーチンでは、熱交フラグがＯＮになっている間は、ホースヒータもＯＮにすることで熱交ヒータのホースからの放熱ロスを防ぐ目的を示している。尚、第２の実施例として熱交ヒータと同期してホースヒータをＯＮＯＦＦさせても本発明の範疇である。
【００４８】
図７は、ｇｏｓｕｂ  本体保温Ｓ２０のサブルーチンの内容を示す。ＭＴ＞ＭＳＴ？であるか判定しＳ６５その場合はマットヒータをＯＦＦにし、ＲＥＴ元に戻るＳ６７。そうでない場合、マットヒータをＯＮにしＳ６８、ＲＥＴ元に戻るＳ６９。
このルーチンでは、マットヒータがＯＮになると、熱交ヒータのＯＮＯＦＦに関係なく、ＯＮ状態となることを示し、関係するのは、エアーマットのセット温度が高いか低いかによって、作動することを示しており、エアーマットの保温の役割となるのである。
【図面の簡単な説明】
【００４９】
【図１】本発明に係る暖機能付床ずれ防止エアーマットの全体構成略図・系統図である。
【図２】本発明に係る加圧加熱空気と保温に関する判定手段を記したブロック図である。図３〜図４は本発明に係る制御フローチャートである。
【図３】メインルーチンを示した図である
【図４】ＯＦＦ処理サブルーチンを示した図である
【図５】熱交サブルーチンを示した図である
【図６】ホース保温サブルーチンを示した図である
【図７】本体保温サブルーチンを示した図である
【符号の説明】
【００５０】
１  床ずれ防止用エアーマット
２  エアーマット制御ブロック
３  駆動制御手段
４  ホース
５  ホース
６  ホース
７  空気管
８  空気管
９  空気管
１０  コンプレッサー
１１  コンプレッサー用電線
１２  空気取り入れ口
１３  コンプレッサー室
１４  タンク
１５  圧力センサ
１６  圧力信号線
１７  熱交換器
１８  分岐管
１９  供給電磁弁
２０  供給電磁弁
２１  供給電磁弁
２２  供給電磁弁電線
２３  排気電磁弁
２４  排気電磁弁
２５  排気電磁弁
２６  排気電磁弁電線
２７  電源コード
２８  温度制御ブロック
２９  室内温度センサ
３０  信号線
３１  熱交ヒータ
３２  ヒータ電線
３３  熱交温度センサ
３４  信号線
３５  マット温度センサ
３６  信号線
３７  ホース保温部
３８  ホース保温制御ブロック
３９  本体保温部
４０  本体保温制御ブロック
４１  電源コード
４２  制御・電源線
４３  操作部
４４  開始・停止ｓｗ
４５  加減圧サイクル調節
４６  加圧程度調節
４７  入力判定手段
４９  開始・停止判定手段
５０  加減圧サイクルレベル判定手段
５１  加圧レベル判定手段
５２  圧力検知手段
５３  総合判定手段
５４  初期状態制御判定手段
５５  時間制御判定手段
５６  圧力制御判定手段
５７  コンプレッサ出力制御手段
５８  各種電磁弁出力制御手段
５９  温度制御ブロック出力制御手段
６０  温調操作部
６１  温度調節＆強制温ＯＦＦ指示
６２  入力判定手段
６３  温度調節レベル判定手段
６４  温度１検知手段
６５  温度２検知手段
６６  温度３検知手段
６７  総合判定手段
６８  熱交ヒータ制御判定手段
６９  ホースヒータ制御判定手段
７０  マットヒータ制御判定手段
７１  駆動制御手段
７２  熱交換ヒータ出力制御手段
７３  ホース保温ヒータ出力制御手段
７４  マットヒータ出力制御手段
【図１】
2006026247.tif 000003
【図２】
2006026247.tif 000004
【図３】
2006026247.tif 000005
【図４】
2006026247.tif 000006
【図５】
2006026247.tif 000007
【図６】
2006026247.tif 000008
【図７】
2006026247.tif 000009